(57)【要約】【課題】管体部の外面から逃がし弁が大きく突出することを抑制し、全体の小型化を適切に図ることが可能な逆流防止装置を提供する。【解決手段】逆止弁２Ａ，２Ｂが設けられる管体部１Ｂに逃がし弁Ｖ２が設けられ、かつこの逃がし弁Ｖ２は、チャンバ５１と、このチャンバ５１内に設けられ、かつ弁体６によって先端開口部５２ｂが開閉される筒状部５２とを有している、逆流防止装置Ａであって、チャンバ５１および筒状部５２の中心軸ＣＬは、流水路１２が延びるｘ方向に対して交差するｙ方向に延び、かつｘ，ｙ両方向に交差するｚ方向において流水路１２から離間した流水路１２に対するねじれ配置とされ、チャンバ５１の内周壁部には、このチャンバ５１を流水路１２に連通させる切欠開口部５４が設けられている。【選択図】  図１
2015025493.tif 000002
【特許請求の範囲】
【請求項１】
内部に流水路を形成し、かつ少なくとも１つの逆止弁が設けられる管体部と、
この管体部に設けられたハウジング部を利用して構成され、かつ前記流水路に逆流水が生じた際にこの逆流水を排水口に導いて外部に排出するための逃がし弁と、
を備えており、
前記逃がし弁のハウジング部には、弁体によって一面が塞がれるチャンバと、このチャンバ内に設けられて先端部が弁座とされ、かつ前記弁体によって先端開口部が開閉される筒状部とが設けられ、
前記チャンバと前記筒状部の内部とは、前記弁体の開状態時に互いに連通し、かつ前記流水路に生じた逆流水を前記排水口に導くための排水路を構成する、逆流防止装置であって、
前記チャンバおよび前記筒状部の中心軸は、前記流水路が延びるｘ方向に対して交差するｙ方向に延び、かつｘ，ｙ両方向に交差するｚ方向において前記流水路から離間していることにより、前記流水路に対するねじれ配置とされ、
前記流水路と前記排水路とを連通させるための手段として、前記チャンバの内周壁部に、前記チャンバを前記流水路に連通させる切欠開口部が設けられていることを特徴とする、逆流防止装置。
【請求項２】
請求項１に記載の逆流防止装置であって、
前記チャンバの正面視基本形状は、所定の半径ｒ１の円形状とされ、かつ前記流水路のうち、前記チャンバに隣接する部分の流路断面基本形状は、所定の半径ｒ２の円形状とされており、
前記チャンバと前記流水路とのｚ方向における中心間距離Ｌ１は、
Ｌ１＜（ｒ１＋ｒ２）
の関係とされている、逆流防止装置。
【請求項３】
請求項１または２に記載の逆流防止装置であって、
前記管体部が第２の管体部とされるとともに、前記流水路が２次側流水路とされるように、前記管体部の一端側には、前記流水路の上流側に繋がった１次側流水路を内部に形成する第１の管体部がｚ方向に延びた状態で連設されており、
前記１次側流水路から前記２次側流水路への通水のオン・オフを制御可能な開閉弁を備えている、逆流防止装置。
【請求項４】
請求項３に記載の逆流防止装置であって、
前記逃がし弁のハウジング部は、前記第１および第２の管体部が互いに交差して形成された隅部に位置し、かつ前記第１および第２の管体部の両者に一体的に繋がっている、逆流防止装置。
【発明の詳細な説明】
【技術分野】
【０００１】
本発明は、たとえば給湯装置から風呂追い焚き回路への注湯用の配管経路など、逆流水の防止が要請される配管部に取り付けて用いるのに好適な逆流防止装置に関する。
【背景技術】
【０００２】
逆流防止装置の一例として、特許文献１に記載のものがある。同文献に記載の逆流防止装置の要部の基本的な構成を簡略化して図６に示す。
同図に示す逆流防止装置Ｂにおいては、逆止弁２５が装着された流水路７０を内部に形成している管体部７に、逃がし弁（大気開放弁）８が設けられている。逃がし弁８は、管体部７に一体形成されたハウジング部８０に、ダイヤフラムタイプの弁体８１を組み付けることにより構成されている。ハウジング部８０には、内部が流水路７０に連通する筒状部８２、およびこの筒状部８２の周囲を囲むチャンバ８３が形成されている。弁体８１は、筒状部８２の先端開口部８２ａを開閉可能である。弁体８１の背面側には、流水路７０の上流側圧力（１次圧）Ｐａが導入された圧力室８４が形成されており、弁体８１は、通常時においては、１次圧Ｐａの圧力によって前進し、筒状部８２の先端開口部８２ａを閉じている。これに対し、流水路７０の上流側に負圧が生じ、１次圧Ｐａが低下すると、弁体８１は、バネ８５の力によって後退し、筒状部８２の先端開口部８２ａを開状態とする。このことにより、流水路７０内に生じている逆流水は、チャンバ８３内に流入し、排水口８６から外部に排出される。
このような構成によれば、流水路７０に逆止弁２５を設けただけの場合と比較して、逆流防止効果を高めることができ、逆止弁２５に異物の噛み込みが生じたような場合にも逆流防止効果が得られる。
【０００３】
しかしながら、前記従来技術においては、次に述べるように、改善すべき余地があった。
【０００４】
すなわち、筒状部８２の内部の一端は、流水路７０に直接繋がっており、筒状部８２は、流水路７０が延びる方向に対して交差する方向（図６では上下）に長く延びた形態に設けられている。このため、管体部７の外面から筒状部８２の先端部までの寸法は大きいものとなる。加えて、筒状部８２の下側には、弁体８１が配置され、かつこの弁体８１の背面側である下側には、圧力室８４が形成されている。したがって、管体部７の外面から下方へ向けての逃がし弁８の全体の突出寸法Ｌａは、かなり大きいものとなる。逆流防止装置Ｂを給湯用配管に組み込む場合などには、逆流防止装置Ｂの設置スペースを余り大きくとることができない場合が多いため、逃がし弁８の突出寸法Ｌａをできる限り小さくすることが要望されるが、従来においては、そのような要望に十分に応え得るとは言い難く、この点において未だ改善の余地があった。
【先行技術文献】
【特許文献】
【０００５】
【特許文献１】特開２００９−５８０２１号公報
【発明の概要】
【発明が解決しようとする課題】
【０００６】
本発明は、前記したような事情のもとで考え出されたものであり、管体部の外面から逃がし弁が大きく突出することを抑制し、全体の小型化を適切に図ることが可能な逆流防止装置を提供することを、その課題としている。
【課題を解決するための手段】
【０００７】
上記の課題を解決するため、本発明では、次の技術的手段を講じている。
【０００８】
本発明により提供される逆流防止装置は、内部に流水路を形成し、かつ少なくとも１つの逆止弁が設けられる管体部と、この管体部に設けられたハウジング部を利用して構成され、かつ前記流水路に逆流水が生じた際にこの逆流水を排水口に導いて外部に排出するための逃がし弁と、を備えており、前記逃がし弁のハウジング部には、弁体によって一面が塞がれるチャンバと、このチャンバ内に設けられて先端部が弁座とされ、かつ前記弁体によって先端開口部が開閉される筒状部とが設けられ、前記チャンバと前記筒状部の内部とは、前記弁体の開状態時に互いに連通し、かつ前記流水路に生じた逆流水を前記排水口に導くための排水路を構成する、逆流防止装置であって、前記チャンバおよび前記筒状部の中心軸は、前記流水路が延びるｘ方向に対して交差するｙ方向に延び、かつｘ，ｙ両方向に交差するｚ方向において前記流水路から離間していることにより、前記流水路に対するねじれ配置とされ、前記流水路と前記排水路とを連通させるための手段として、前記チャンバの内周壁部に、前記チャンバを前記流水路に連通させる切欠開口部が設けられていることを特徴としている。
【０００９】
このような構成によれば、次のような効果が得られる。
第１に、管体部内の流水路と逃がし弁の排水路とは、管体部内の流水路に対して中心軸がねじれ配置とされたチャンバの内周壁部に設けられた切欠開口部を介して直接連通している。このため、従来技術とは異なり、流水路と逃がし弁との相互間の位置に、これらを互いに接続するための流路を長く延びた状態（ｚ方向に長く延びた状態）に設ける必要はない。したがって、従来技術と比較して、逃がし弁を流水路に接近させた配置に設けることができる。その結果、逃がし弁が管体部の外面から大きく突出することを抑制し、全体の小型化を図ることが可能となる。
第２に、逃がし弁は、流水路に対してｚ方向において隣接することとなるが、逃がし弁の排水路を構成するチャンバや筒状部は、これらの軸長方向がｙ方向となるように設けられている。したがって、逃がし弁自体が、ｚ方向に大型化することも適切に回避され、全体の小型化をより的確に図ることができる。
その他、本発明においては、流水路に逆流水が生じた際には、逃がし弁が開状態となることにより、前記逆流水は切欠開口部を通過してチャンバ内に流入した後に、筒状部の先端開口部から筒状部内に流入し、排水口に導かれる。したがって、逆流水の排出処理も的確に行なうことができ、従来と比較して性能が低下するといった不具合もない。
【００１０】
本発明において、好ましくは、前記チャンバの正面視基本形状は、所定の半径ｒ１の円形状とされ、かつ前記流水路のうち、前記チャンバに隣接する部分の流路断面基本形状は、所定の半径ｒ２の円形状とされており、前記チャンバと前記流水路とのｚ方向における中心間距離Ｌ１は、Ｌ１＜（ｒ１＋ｒ２）の関係とされている。
【００１１】
このような構成によれば、逃がし弁のチャンバと流水路とを直接繋ぐことができる（切欠開口部のｚ方向の寸法が実質的にゼロとなる。この点については、図３を参照して後述する実施形態も参照）。すなわち、前記とは異なり、たとえばＬ１＞（ｒ１＋ｒ２）の関係であると、流水路とチャンバとは直接繋がらず、切欠開口部をｚ方向に長さをもつ形態にする必要があるが、前記構成によれば、そのような必要はなく、チャンバと流水路とが直接的に繋がった状態で隣接させることができる。したがって、逃がし弁が管体部の外面に大きく突出することを抑制する上で、より好ましいものとなる。
【００１２】
本発明において、好ましくは、前記管体部が第２の管体部とされるとともに、前記流水路が２次側流水路とされるように、前記管体部の一端側には、前記流水路の上流側に繋がった１次側流水路を内部に形成する第１の管体部がｚ方向に延びた状態で連設されており
、前記１次側流水路から前記２次側流水路への通水のオン・オフを制御可能な開閉弁を備えている。
【００１３】
このような構成によれば、１次側流水路から２次側流水路への通水のオン・オフ機能を備えたものとなり、たとえば給湯装置から浴槽への注湯用配管などに組み付けて用いるのに好適なものとなる。また、第１の管体部が延びる方向と、第２の管体部から逃がし弁が突出する方向とは同方向に揃えられているため、逆流防止装置全体の嵩張りを抑制する上で好ましいものとなる。
【００１４】
本発明において、好ましくは、前記逃がし弁のハウジング部は、前記第１および第２の管体部が互いに交差して形成された隅部に位置し、かつ前記第１および第２の管体部の両者に一体的に繋がっている。
【００１５】
このような構成によれば、逃がし弁が管体部の外面において大きく嵩張ることを、より効果的に抑制することができる。
【００１６】
本発明のその他の特徴および利点は、添付図面を参照して以下に行なう発明の実施の形態の説明から、より明らかになるであろう。
【図面の簡単な説明】
【００１７】
【図１】（ａ）は、本発明に係る逆流防止装置の一例を示す正面断面図であり、（ｂ）は、（ａ）のＩｂ−Ｉｂ断面図である。
【図２】図１（ｂ）の分解断面図である。
【図３】図１に示す逆流防止装置のケーシングの要部構造の断面図である。
【図４】（ａ）は、図１に示す逆流防止装置の正面図であり、（ｂ）は、（ａ）の一部分解正面図である。
【図５】図１に示す逆流防止装置の背面図である。
【図６】従来技術の一例を示す要部断面図である。
【発明を実施するための形態】
【００１８】
以下、本発明の好ましい実施の形態について、図面を参照して具体的に説明する。
【００１９】
図１に示す逆流防止装置Ａは、正面視略Ｌ字のパイプ状に形成された樹脂製のケーシングＣ、パイロット式の開閉弁Ｖ１、第１および第２の逆止弁２Ａ，２Ｂ、ならびに逃がし弁Ｖ２を備えている。ケーシングＣは、上下方向に延び、かつ１次側流水路１１を内部に形成している第１の管体部１Ａと、略水平方向に延び、かつ２次側流水路１２を内部に形成している第２の管体部１Ｂとを一体成形したものである。
【００２０】
１次側流水路１１には、流量センサ９７やフィルタ（図示略）などが適宜設けられる。２次側流水路１２には、第１および第２の逆止弁２Ａ，２Ｂが直列に並んだ状態で設けられている。これらの逆止弁２Ａ，２Ｂは、２次側流水路１２における下流側への通水を許容しつつ、上流側への逆流を阻止するものである。逃がし弁３の詳細については後述するが、この逃がし弁Ｖ２は、第２の逆止弁２Ｂに異物の噛み込みを生じるなどして、第２の逆止弁２Ｂよりも上流の位置に逆流水が進行してきた場合に、２次側流水路１２内に空気を送り込みつつ、前記逆流水を外部に排出させるものである。したがって、本実施形態における２次側流水路１２および第２の管体部１Ｂは、本発明（請求項１）でいう「流水路」および「管体部」の一例に相当する。第２の管体部１Ｂには、補助管体部１Ｃが適宜接続されており、この補助管体部１Ｃを利用して第２の逆止弁２Ｂの抜け止めが図られている。
なお、本実施形態では、水平方向のうち、２次側流水路１２が延びる方向が、本発明で
いう「ｘ方向」に相当し、このｘ方向に交差する水平方向が本発明でいう「ｙ方向」に相当し、上下方向が本発明でいう「ｚ方向」に相当する。これらの方向については、図面において適宜示す。
【００２１】
逆流防止装置Ａは、たとえば給湯装置から風呂追い焚き回路への湯水供給経路途中に設けられて使用される。このような使用態様においては、１次側流水路１１は給湯装置側に配管接続され、２次側流水路１２は、風呂追い焚き回路側に配管接続される。風呂追い焚き回路は、浴槽の湯水をポンプによって汲み上げてから追い焚き用の熱交換器によって加熱した後に浴槽に戻す回路である。したがって、このような風呂追い焚き回路から給湯装置側（上水道側）に逆流を生じることは適切に防止する必要がある。
【００２２】
開閉弁Ｖ１は、１次側流水路１１と２次側流水路１２との連通部分である弁開口部１３をダイヤフラムタイプの弁体４０によって開閉し、１次側流水路１１から２次側流水路１２への通水のオン・オフを切り替えるためのものである。弁体４０には、パイロット孔４１、ブリード孔４２、およびこのブリード孔４２の一端開口部を開閉するブリード用弁体４３が設けられている。開閉弁Ｖ１は、電磁駆動方式であり、電磁ソレノイド４４を駆動源とするプランジャ４５を備えている。プランジャ４５を前進させた場合には、図１（ａ）に示すように、パイロット孔４１の一端をプランジャ４５によって閉塞した状態で弁体４０を弁開口部１３の周縁の弁座１４に当接させて、弁開口部１３を閉塞することが可能である。図示説明は省略するが、プランジャ４５を後退させた際には、パイロット孔４１の一端開口部が開状態となって背圧室１６と２次側流水路１２とが連通するため、弁体４０を後退させて弁開口部１３を開放させることが可能である。
【００２３】
ブリード用弁体４３は、開閉弁Ｖ１の閉状態において、１次側流水路１１が正圧の場合には開状態となり、背圧室１６を正圧とするものである。したがって、この正圧を利用して弁体４０を弁座１４に圧接させることができる。一方、１次側流水路１１の上流側に断水を生じるなどして、１次側流水路１１が負圧となった場合には、ブリード用弁体４３は閉状態となり、ブリード孔４２の一端開口部は閉塞され、背圧室１６が負圧になることが阻止される。１次側流水路１１の負圧は、弁体４０のうち、弁座１４からはみ出した部分に作用し、弁体４０を弁座１４に圧接させる力として作用する。このため、この開閉弁Ｖ１においては、弁閉時における止水シール性能がよく、逆流水を阻止する上で好ましい性能を発揮する。ただし、開閉弁としては、本実施形態のものに限らず、たとえばブリード孔やブリード用弁体を具備しないタイプの開閉弁を用いてもよい。
【００２４】
逃がし弁Ｖ２は、ケーシングＣと一体成形されたハウジング部５、ダイヤフラムタイプの弁体６、バネ６９、およびカバー体６８を利用して構成されている。ハウジング部５は、後述する排水路５０やその他の所定部位を形成するための部分であり、第１および第２の管体部１Ａ，１Ｂが交差して形成された隅部１９に位置し、かつ第１および第２の管体部１Ａ，１Ｂの双方に一体的に繋がって形成されている。ハウジング部５には、チャンバ５１、このチャンバ５１内に位置する筒状部５２、および排水ホース接続用の管体部５３が設けられている（図２も参照）。ホース接続用の管体部５３の先端には、逆流水用の排水口５３ａが開口している。
【００２５】
逃がし弁Ｖ２のチャンバ５１は、ハウジング部５に凹部を形成し、この凹部の側面開口部を弁体６を用いて閉塞することにより構成されており、後述する切欠開口部５４を介して２次側流水路１２と連通している。このチャンバ５１および筒状部５２は、これらの中心軸ＣＬがｙ方向に延びる横向きに設けられている。中心軸ＣＬは、ｚ方向において２次側流水路１２から離間しており、２次側流水路１２に対するねじれ配置となっている。筒状部５２の先端部は、弁座５２ａとされており、この筒状部５２の先端開口部５２ｂが弁体６によって開閉される。筒状部５２の先端開口部５２ｂが開状態にある際には、筒状部
５２の内部とチャンバ５１とは互いに連通する。筒状部５２の内部の後端側は、排水ホース接続用の管体部５３の内部に連通している。切欠開口部５４、チャンバ５１、および筒状部５２の内部は、２次側流水路１２に生じた逆流水を排水口５３ａに導くための排水路５０を構成している。
【００２６】
２次側流水路１２とチャンバ５１とを連通させる切欠開口部５４は、次のように形成されている。
すなわち、図３において、チャンバ５１の正面視の基本形状（切欠開口部５４の形成箇所は除く意）は、所定の半径ｒ１の円形状である。これに対し、２次側流水路１２のうち、チャンバ５１に隣接する領域の流路断面基本形状（切欠開口部５４の形成箇所は除く意）は、所定の半径ｒ２の円形状である。ただし、チャンバ５１と２次側流水路１２との中心間距離Ｌ１は、Ｌ１＜（ｒ１＋ｒ２）の関係とされており、チャンバ５１として本来形成される箇所と、２次側流水路１２として本来形成される箇所とがオーバラップする寸法関係とされている。このオーバラップ部分に相当する箇所が、切欠開口部５４として形成されており、この切欠開口部５４は、チャンバ５１の内周壁部に設けられて、チャンバ５１の内部を２次側流水路１２に直接対面させて連通させる部位となっている。
【００２７】
切欠開口部５４の開口面積は、好ましくは、排水路５０の各部の流路面積と同等程度、またはそれ以上とされる。また、切欠開口部５４は、図１（ａ）に示すように、第１の逆止弁２Ａのうち、弁座２０よりも下流側であって、弁体２１の下方に設けられている。このような構成によれば、たとえば第１および第２の逆止弁２Ａ，２Ｂの相互間の位置に切欠開口部５４を配置させる場合と比較すると、切欠開口部５４を第１の管体部１Ａ側により接近させることができ、逃がし弁Ｖ２を隅部１９に配置させて全体の小サイズ化を図る上で好ましい。また、第１および第２の逆止弁２Ａ，２Ｂの相互間隔を小さくすることもできるために、第２の管体部１Ｂの短寸化を図る上でも好ましいものとなる。ただし、切欠開口部５４は、本実施形態とは異なる配置とすることができる。
【００２８】
弁体６は、可撓性を有するダイヤフラム６０に、このダイヤフラム６０をバックアップするための比較的硬質のダイヤフラムプレート６１を重ね合わせた構成を有している。弁体６は、カバー体６８を利用してハウジング部５の前面側に装着されており、カバー体６８はビスなどのネジ体６７を用いてハウジング部５に固定されている（図４も参照）。カバー体６８は、弁体６の軸部６０ａがスライド可能に嵌入されるガイド孔６８ａを有する他、弁体６の背面側に１次圧Ｐ１を受ける圧力室６２を形成する役割も果たす。具体的には、このカバー体６８の一側面部には、短寸の受圧用の管体部６８ｂが設けられている。この管体部６８ｂは、１次側流水路１１の適当な箇所と配管接続されており（図示略）、１次圧Ｐ１を圧力室６２に導入させるように構成されている。１次圧Ｐ１が正圧である場合には、弁体６は圧力室６２の圧力によって前進し、筒状部５２の先端開口部５２ｂを閉塞する。これに対し、１次圧Ｐ１が低下すると、弁体６はバネ６９の力によって後退し、先端開口部５２ｂが開放する。このことにより、逆流水が排水路５０を通過して排水口５３ａに到達し、外部に排出される。
【００２９】
図５に示すように、管体部５３には、排水用のホース９８が接続される。管体部５３は、ハウジング部５から適当な角度θで斜めに傾斜しており、第１および第２の管体部１Ａ，１Ｂの中間方向に延びている。角度θは、たとえば４５°前後である。このような構成によれば、管体部５３にホース９８を接続する作業の容易化などが図られる。たとえば、第１の管体部１Ａには電動式などの水量調整弁Ｖ３が接続され、この接続に使用される止め具９９や、水量調整弁Ｖ３の一部などが逃がし弁Ｖ２の下方に位置する場合がある。これに対し、本実施形態の構成によれば、ホース９８の接続作業を行なう際に、ホース９８や作業者の手が止め具９９や水量調整弁Ｖ３に当たらないようにすることが可能である。
【００３０】
次に、前記した逆流防止装置Ａの作用について説明する。
【００３１】
まず、逃がし弁Ｖ２の排水路５０は、チャンバ５１の内周壁部に設けられた切欠開口部５４を介して２次側流水路１２に直接連通しており、２次側流水路１２と逃がし弁Ｖ２との間に、これらを互いに接続するための流路を上下方向に長く延びた状態に形成する必要はない。とくに、本実施形態においては、図３を参照して説明したとおり、チャンバ５１と２次側流水路１２との中心間距離Ｌ１は、Ｌ１＜（ｒ１＋ｒ２）とされており、２次側流水路１２に逃がし弁Ｖ２を隣接させることができる。このため、逃がし弁Ｖ２を第２の管体部１Ｂの下方に大きく突出しないように設けることができる。
【００３２】
逃がし弁Ｖ２は、既述したように、２次側流水路１２の下側に設けられているが、逃がし弁Ｖ２のチャンバ５１や筒状部５２の軸長方向は水平方向であり、これらの部分の上下方向の寸法は比較的小さくすることが可能である。また、弁体６やカバー体６８は、チャンバ５１や筒状部５２に対して上下方向に重なった配置には設けられていない。したがって、逃がし弁Ｖ２の全体の上下幅が大きくなることを抑制し、逃がし弁Ｖ２が第２の管体部１Ｂの下方に大きく突出することは、より合理的に抑制される。加えて、本実施形態においては、第１および第２の管体部１Ａ，１Ｂが交差した隅部１９に逃がし弁Ｖ２が配されているために、第１および第２の管体部１Ａ，１Ｂから離間した位置において逃がし弁Ｖ２が突出状態に設けられることも適切に回避される。したがって、逃がし弁Ｖ２の小サイズ化、ひいては逆流防止装置Ａの全体の小型化を好適に図ることができる。
【００３３】
１次側流水路１１に負圧が生じ、２次側流水路１２に逆流水が生じる状況になると、逃がし弁Ｖ２の弁体６が開状態となる。この状況において、２次側流水路１２に生じた逆流水が切欠開口部５４の位置に到達すると、この逆流水は、チャンバ５１から筒状部５２内を通過して排水口５３ａに導かれ、外部に円滑に排出される。したがって、逃がし弁Ｖ２の逆流水排出性能も優れたものとすることが可能である。
【００３４】
本発明は、上述した実施形態の内容に限定されない。本発明に係る逆流防止装置の具体的な構成は、本発明の意図する範囲内において種々に設計変更自在である。
【００３５】
上述した実施形態においては、第１および第２の管体部１Ａ，１Ｂが一体成形されているが、これらを別体に形成した構成とすることができる。２次側流水路１２（本発明でいう流水路の一例に相当）には、複数の逆止弁を設けることが望まれるが、これに限定されず、逆止弁の数を１つとすることもできる。逃がし弁は、第１および第２の管体部１Ａ，１Ｂが交差する隅部１９から離間した位置に設けてもよい。本発明でいうｘ，ｙ，ｚ方向は、上述した実施形態の方向に限定されない。逃がし弁を管体部（第２の管体部１Ｂ）の外面から下向きに突出させる構成に代えて、横向きなどの他の向きに突出させた構成とすることもできる。
【００３６】
逃がし弁のチャンバと流水路（２次側流水路１２）の中心間距離Ｌ１は、既述したように、Ｌ１＜（ｒ１＋ｒ２）の関係とすることが好ましいものの、これとは異なり、Ｌ１≧（ｒ１＋ｒ２）の関係に構成してもよい。この場合であっても、従来とは異なり、流水路（２次側流水路１２）と逃がし弁との間を繋ぐ流路をｚ方向に長く形成する必要はないため、逃がし弁の嵩張りを小さくすることができ、本発明が意図する作用が得られる。
【００３７】
本発明に係る逆流防止装置は、給湯装置と風呂追い焚き回路とを接続する配管部に設けて、浴槽側から給湯装置（上水道側）に逆流が生じることを防止する用途に好適であるが、使用用途はこれに限定されるものではない。
【符号の説明】
【００３８】
Ａ  逆流防止装置
ＣＬ  中心軸（逃がし弁のチャンバおよび筒状部の）
Ｖ１  開閉弁
Ｖ２  逃がし弁
１Ａ  第１の管体部
１Ｂ  第２の管体部（管体部）
２Ａ，２Ｂ  第１および第２の逆止弁（逆止弁）
５  ハウジング部（逃がし弁の）
６  弁体（逃がし弁の）
１１  １次側流水路
１２  ２次側流水路（流水路）
１９  隅部
５０  排水路（逃がし弁の）
５１  チャンバ（逃がし弁の）
５２  筒状部
５２ａ  弁座（逃がし弁の）
５２ｂ  先端開口部（筒状部の）
５３ａ  排水口
５４  切欠開口部
【図１】
2015025493.tif 000003
【図２】
2015025493.tif 000004
【図３】
2015025493.tif 000005
【図４】
2015025493.tif 000006
【図５】
2015025493.tif 000007
【図６】
2015025493.tif 000008